(57)【要約】【課題】スイッチに既存の空間に光源を配置することで外形寸法の大型化を防止し、配置位置の制約や鍵付セレクタスイッチのセキュリティ機能の低下を招くことなく、部品の共通化による部品点数の削減を実現する。【解決手段】アダプタ３を介してタンブラー錠２を収納する本体１内で、アダプタ３と本体の内側面との間に存在する間隙７の中間部に、光源４をアダプタ３の入射部３１に対向させて配置した。光源４の光は、入射部３１からアダプタ３の内部に入射し、アダプタ３内で反射し、本体１とタンブラー錠２との間で照光式スイッチ１０の前面側に出射する。アダプタ３から出射する光によってタンブラー錠２の鍵穴２３の位置が正確に認識される。光源４は、基板６に実装されて既存の間隙に配置されるため、本体１内に光源４を配置するための空間を別途設ける必要がない。【選択図】図１
2008135332.tif 000002
【特許請求の範囲】
【請求項１】
スイッチ機構を収納する筒状体の本体と、前記スイッチ機構と前記本体の内側面との間に配置されて前記スイッチ機構を前記内側面との間に間隙を設けて保持するアダプタと、を備えたスイッチであって、
前記アダプタは、透光性材料で構成された導光部を含み、前記導光部には外側面における軸方向の中間部に入射部が形成されており、前記入射部から内部に入射した光を前記スイッチ機構と前記本体の内側面との間の前面側に出射させ、
前記間隙内の前記入射部に対向する位置に配置される光源を備えた照光式スイッチ。
【請求項２】
前記光源及び前記光源の駆動回路を実装した基板であって前記アダプタの外側面に沿って無端状に形成された基板を備えた請求項１に記載の照光式スイッチ。
【請求項３】
前記本体は、前記間隙に連通する開口部を備え、
前記基板は、前記開口部を貫通する延出部を備えた請求項２に記載の照光式スイッチ。
【請求項４】
前記アダプタは光学的に互いに独立した複数の導光部を備え、前記複数の導光部のそれぞれの入射部に対向する複数の光源であって互いに独立して駆動可能な複数の光源を備えた請求項１乃至３のいずれかに記載の照光式スイッチ。
【請求項５】
前記スイッチ機構は、外筒内に内筒を回転自在に収納した鍵付セレクタスイッチ機構である請求項１乃至４のいずれかに記載の照光式スイッチ。
【発明の詳細な説明】
【技術分野】
【０００１】
この発明は、押しボタンスイッチ機構や鍵付セレクタスイッチ機構等のスイッチ機構の周囲から前面側に光を照射する照光式スイッチに関する。
【背景技術】
【０００２】
制御盤等に配置されるスイッチとして、前面側に光を照射し、操作すべき操作部の位置を容易に認識できるようにした照光式スイッチがある。スイッチ機構として、押しボタンを備えた押しボタンスイッチでは、押しボタンの内部に光源を収納し、押しボタンの操作部を透光性部材によって構成することで、操作部の前面側に光を照射することができる（例えば、特許文献１参照。）。
【０００３】
ところが、スイッチ機構として特定の操作者のみが操作できるタンブラー錠を備えた鍵付セレクタスイッチ（例えば、特許文献２参照。）では、鍵穴を備えた内筒の前面が操作部であるため、操作部を透光性部材によって構成することができない。
【０００４】
そこで、鍵付セレクタスイッチでは、内筒を回転自在に収納した外筒と本体との間に配置されるアダプタを透光性部材によって構成し、スイッチ内部の光源の光をアダプタの内部を経由して前面に照射するようにしている。スイッチの内部からの光により、操作部の周囲が照明される。
【特許文献１】特開２０００−３３８９０６号公報
【特許文献２】特開平１１−０２５８０９号公報
【発明の開示】
【発明が解決しようとする課題】
【０００５】
しかしながら、従来の照光式スイッチでは、スイッチ機構とその背面側に位置する接点部との間に光源を配置していたため、前後長が長くなる問題があった。このため、照光機能のないスイッチと照光式スイッチとで筐体を共用することができず、部品点数が増加する。また、配置場所の制約から前後長を十分に長くできない場合には、スイッチ機構の前後長を短くしなければならない。特に、鍵付セレクタスイッチでは、タンブラーの配置数が減少し、タンブラー錠のセキュリティ機能が低下する問題がある。
【０００６】
この発明の目的は、スイッチに既存の空間に光源を配置することで外形寸法の大型化を防止することができ、配置位置の制約や鍵付セレクタスイッチのセキュリティ機能の低下を招くことなく、部品の共通化による部品点数の削減を実現しつつ、操作部を照明することができる照光式スイッチを提供することにある。
【課題を解決するための手段】
【０００７】
この発明の照光式スイッチは、本体、アダプタ、光源を備えている。本体は、スイッチ機構を収納する筒状を呈している。アダプタは、スイッチ機構と本体の内側面との間に配置されてスイッチ機構を内側面との間に間隙を設けて保持し、透光性材料で構成された導光部を含み、導光部の外側面における軸方向の中間部に入射部が形成されている。アダプタは、入射部から導光部に入射した光をスイッチ機構と本体の内側面との間の前面側に出射させる。光源は、間隙内の入射部に対向する位置に配置される。光源から照射された光は、入射部からアダプタの導光部内に入射し、スイッチ機構と本体の内側面との間の前面側に出射する。光源は、スイッチ機構と本体の内側面との間に既存の間隙に配置されており、光源の有無によって本体の外形寸法が変化することはない。
【０００８】
この発明の照光式スイッチは、光源及び光源の駆動回路を実装した基板であってアダプタの外側面に沿って無端状に形成された基板をさらに備えることができる。スイッチ機構と本体の内側面との間に既存の間隙に基板を配置することで、照光式スイッチが容易に組み立てられる。
【０００９】
また、本体に間隙に連通する開口部を備え、基板に開口部を貫通する延出部を備えることで、光源の駆動信号を外部から容易に供給できる。
【００１０】
さらに、アダプタに導光部を複数形成し、各導光部に対応する複数の光源を備え、各光源を互いに独立して駆動できるようにすることで、種々の表示パターンの照明光を照射することができる。
【発明の効果】
【００１１】
この発明によれば、スイッチ機構と本体の内側面との間に既存の間隙に配置した光源から照射された光を、入射部からアダプタ内に入射させ、スイッチ機構と本体の内側面との間の前面側に出射させることができる。光源の有無によって本体の外形寸法が変化することがなく、光源を備えても外形寸法の大型化を生じない。配置位置の制約や鍵付セレクタスイッチのセキュリティ機能の低下を招くことなく、部品の共通化による部品点数の削減を実現しつつ、操作部を照明することができる。
【発明を実施するための最良の形態】
【００１２】
図１は、この発明の実施形態に係る照光式スイッチの縦断面図である。照光式スイッチ１０は、本体１、タンブラー錠２、アダプタ３、２個の光源４、操作ユニット５を備えている。
【００１３】
本体１は、前面及び背面が開放した円筒形状を呈し、内部にアダプタ３を介してタンブラー錠２を収納している。
【００１４】
タンブラー錠２は、外筒２１内に内筒２２を回転自在に備えている。内筒２２には前面に開口した鍵穴２３が形成されている。外筒２１には軸方向に沿って複数枚のタンブラーが配置されている。鍵穴２３に鍵を挿入すると、タンブラーが半径方向の外側に移動し、外筒２１内で内筒２２を回転させることができる。
【００１５】
アダプタ３は、タンブラー錠２と本体１の内側面との間に配置されている。アダプタ３は、透光性材料で構成された導光部３０Ａ，３０Ｂを備えている。アダプタ３０は、導光部３０Ａ，３０Ｂを含む全体を透光性材料で構成してもよい。導光部３０Ａ，３０Ｂは、タンブラー錠２の周囲に沿って一例として２分割にして構成されており、１本の直径を対称軸として対称形状にされている。導光部は、タンブラー錠２の周囲に沿って３個以上に分割してもよい。アダプタ３の前面側は、タンブラー錠２と本体１の内側面との間で、照光式スイッチ１０の前面に露出している。アダプタ３は、軸方向の中間部で本体１の内側面との間に間隙７を形成している。
【００１６】
間隙７の前面側には、パッキン１１が配置されている。アダプタ３の背面側の内側面と内筒２の外側面との間には、パッキン１２が配置されている。パッキン１１，１２は、外部からの塵埃の侵入を防止する。アダプタ３の外周面の中間部には、入射部３１が半径方向に延出して形成されている。
【００１７】
操作ユニット５は、円筒カム５１、操作プレート５３、ベース５４、固定ネジ５５を含む。円筒カム５１は、固定ネジ５５を介して内筒２２の背面に固定される。円筒カム５１は、内筒２と一体的に回転する。操作プレート５３は、円筒カム５１のカム形状に応じて軸方向に移動する。ベース５４は、操作プレート５３を保持する。
【００１８】
操作ユニットの背面には、図示しない接点部が装着される。操作プレート５３は、軸方向の移動によって接点部の可動接点に選択的に当接する。可動接点は、操作プレート５３が当接するか否かに応じて、固定接点に接触又は離間する。内筒２２の回転位置に応じて、接点部が開閉する。
【００１９】
タンブラー錠２、操作ユニット５及び接点部が、この発明のスイッチ機構である鍵付セレクタスイッチ機構に相当する。
【００２０】
図２は、図１中のＸ−Ｘ部の正面断面図である。図２では、タンブラー錠２を省略している。２個の光源４のそれぞれは、一例としてＬＥＤであり、基板６に実装されている。基板６は、光源４の駆動回路を構成する抵抗６２やダイオード６３等の部品も実装している。
【００２１】
基板６は、無端状である環状を呈しており、間隙７内でタンブラー錠２の全周にわたって位置している。基板６の外周の一部から、延出部６１が半径方向に延出している。本体１には、周面の一部に間隙７に貫通した開口部８が形成されている。延出部６１は、開口部８を経由して照光式スイッチ１０の外部に露出している。基板において少なくとも延出部６１は、フレキシブル基板によって構成されている。延出部６１を含む基板６にプリントされた配線により、照光式スイッチ１０の外部から光源４に駆動信号が印加される。
【００２２】
基板６は、間隙７内でアダプタ３の入射部３１と本体１の隔壁７１との間に位置している。アダプタ３の周面の複数の箇所（図２に示す例では２箇所）には、保持部３２が突出して形成されている。保持部３２は、基板６の軸方向の移動を規制する。保持部３２により、基板６が照光式スイッチ１０内で大きく変位することを防止できる。
【００２３】
照光式スイッチ１０を組み立てる際には、まず、本体１の前面側から本体１の内部に基板６を挿入する。このとき、延出部６１を開口部８に貫通させる。次いで、アダプタ３の外側面にパッキン１１を装着し、アダプタ３の内部にタンブラー錠２を収納させ、このアダプタ３を本体１の前面から本体１の内部に収納する。この後、内筒２２の背面に円筒カム５１を取付ネジ５５によって取り付け、操作プレート５３を収納した操作ユニット５を本体１の背面に装着する。
【００２４】
光源４を駆動回路とともに基板６に実装することで、照光式スイッチ１０の組立作業を簡略化することができる。
【００２５】
本体１内に基板６を挿入する作業を省略することで、照光式スイッチ１０を非照光とすることができる。したがって、照光式スイッチ１０は、非照光のスイッチと同一の構成部品で作成することができ、基板６を除いて非照光のスイッチの構成部品と異なる部品を準備する必要がない。このため、照光式スイッチ１０は、タンブラー錠２の軸方向の長さを短縮することなく非照光のスイッチと同一の寸法形状に形成することができる。配置位置の制約や鍵付セレクタスイッチのセキュリティ機能の低下を招くことなく、部品の共通化による部品点数の削減を実現しつつ、操作部を照明することができる。
【００２６】
なお、本体１は、円筒形状に限るものではなく、少なくとも前面において開放し、内部にアダプタ３を介してスイッチ機構を収納する種々の形状とすることができる。
【００２７】
基板６に実装する光源４の個数は、２個に限るものではなく、照光式スイッチ１０の前面における照光状態に応じて適宜増減することができる。
【００２８】
図３は、照光式スイッチ１０の部分切欠き斜視図である。図４は、照光式スイッチ１０の導光部における配光状態を示す図である。透光性材料からなる導光部３０Ａの一部には、入射部３１Ａが形成されている。入射部３１Ａには光源４が対向している。光源４の光は、導光部３０Ａ内を反射して前面から照射される。導光部３０Ｂにおいても同様に、入射部３１Ｂに対向する光源４の光が、導光部３０Ｂ内を反射して前面から照射される。
【００２９】
前述のように、導光部３０Ａ，３０Ｂは、タンブラー錠２の周囲に沿って一例として２分割にして構成されている。図４（Ａ）に示すように、導光部３０Ａ，３０Ｂのそれぞれの背面側は、複数の反射面を階段状に配置した傾斜面で構成されている。導光部３０Ａ，３０Ｂの前面側に配置されているパッキン１１は、透光性材料によって構成されている。
【００３０】
２個の光源４から照射さた光は、図４（Ｂ）に示すように、導光部３０Ａ，３０Ｂのそれぞれによって個別に前面から外部に照射される。また、図４（Ｃ）及び（Ｄ）に示すように、タンブラー錠２の回転位置に応じて、左側のみ又は右側のみから光照射させることができる。さらに、２個の光源４の光の色を変えることにより、又は、導光部３０Ａ，３０Ｂを異なる色に着色することで、左右から異なる色の光を照射することもできる。
【００３１】
図５は、この発明の照光式スイッチの別の使用状態を示す図である。この発明の照光式スイッチをセレクタスイッチ１００に適用した場合、ハンドル１０１の操作位置に応じてアダプタ３の前面側への光の照射状態を変化させることができる。例えば、図５（Ａ）〜（Ｃ）に示すように、ハンドル１０１が中立位置にある場合には、光を照射せず、ハンドル１０１が左側又は右側に操作された際に、アダプタ３の左側又は右側のみから光を照射する。
【００３２】
また、導光部の形状及び分割数、並びに光源の個数を適宜変更することで、図５（Ｄ）〜（Ｇ）に示すように、アダプタ３におけるハンドル１０１の複数の操作位置に対向する部分のみから光を照射するようにしてもよく、図５（Ｈ）〜（Ｊ）に示すように、ハンドル１０１の操作量に応じた範囲から光を照射するようにしてもよい。
【００３３】
これらの場合に、セレクタスイッチ１００からハンドル１０１の操作位置に応じた操作信号の入力を受けて非制御装置に駆動データを出力する制御部が、セレクタスイッチ１００の複数の光源のうちで入力された操作信号に応じた光源に対する駆動信号をセレクタスイッチ１００に出力する。
【００３４】
アダプタ３の前面は、タンブラー錠２の外周部に位置しているため、光源４から照射された光によってタンブラー錠２の鍵穴２３の位置が容易に認識され、鍵を正確に挿入することができる。
【００３５】
アダプタ３における導光部３０の形状は、タンブラー錠２の周囲に沿って複数に分割した構成に限るものではなく、一体の円筒形にしてもよい。
【００３６】
アダプタ３を透光性の低い材料で構成することにより、非照光のスイッチとして用いる場合にも外観に違和感を与えることなく、全ての構成部品を共用することができる。
【００３７】
照光式スイッチ１０に備えるスイッチ機構は、タンブラー錠２で構成したものに限らず、押しボタンスイッチやセレクタスイッチ等で構成したものであってもよい。
【図面の簡単な説明】
【００３８】
【図１】この発明の実施形態に係る照光式スイッチ１０の縦断面図である。
【図２】図１中のＸ−Ｘ部の横断面図である。
【図３】照光式スイッチ１０の部分切欠き斜視図である。
【図４】照光式スイッチ１０の導光部における配光状態を示す図である。
【図５】この発明の照光式スイッチの別の使用状態を示す図である。
【符号の説明】
【００３９】
１  本体
２  タンブラー錠
３  アダプタ
４  光源
５  操作ユニット
６  基板
７  間隙
８  開口部
１０  照光式スイッチ
２１  外筒
２２  内筒
２３  鍵穴
６１  延出部
【図１】
2008135332.tif 000003
【図２】
2008135332.tif 000004
【図３】
2008135332.tif 000005
【図４】
2008135332.tif 000006
【図５】
2008135332.tif 000007